(57)【要約】【課題】ピアノの押鍵動作に伴う鍵の荷重を調整することができ、演奏者の技量や好みに応じて、容易に鍵に伝わる荷重を調整したり押鍵のタッチ感を切り換えたりすることができる押鍵荷重可変装置を提供することを目的とする。【解決手段】押鍵荷重可変装置７は、ピアノの鍵３が揺動する支点を境に演奏側とは反対側上部において、鍵３毎に配置されて、一端側が回動自在にピアノ本体に支持された回転軸１９に係合し他端側が鍵３の上下方向に揺動自在に支持されたウェイトレバー２１と、鍵３毎に鍵３の上面とウェイトレバー２１の他端側との間に配設されて、鍵３の上方に突き出すように取り付けられたアタッチメント部材２２とを備え、ウェイトレバー２１の他端側が回転軸１９を支点とする自重でアタッチメント部材２２の上部に当接し、アタッチメント部材２２を介して演奏者の押鍵動作に抗する荷重をかける。【選択図】図１
2005049789.tif 000002
【特許請求の範囲】
【請求項１】
ピアノの鍵が揺動する支点を境に演奏側とは反対側上部において、該鍵毎に配置されて、一端側がピアノ本体に支持された回転軸に回動自在に係合し、他端側が鍵の上下方向に揺動するウェイトレバーと、
前記鍵毎に該鍵の上面と前記ウェイトレバーの他端側との間に配設され、該鍵の上方に突き出すように各鍵に取り付けられたアタッチメント部材と、
を備え、
前記ウェイトレバーの他端側が前記回転軸を支点とする自重で前記アタッチメント部材の上部に当接し、該アタッチメント部材を介して演奏者の押鍵動作に抗する荷重をかけるように構成されている、
ことを特徴とするピアノの押鍵荷重可変装置。
【請求項２】
前記アタッチメント部材は、一端側に前記鍵に取り付けられる取付部を備えるとともに、他端側に前記ウェイトレバーに当接する当接部を備え、
前記当接部は、前記鍵の上面に間隙を介して上方に配設され、且つ、隣接する鍵が揺動した際に、該隣接する鍵の上面よりも間隙を介して上方に配置されている、
ことを特徴とする請求項１に記載のピアノの押鍵荷重可変装置。
【請求項３】
前記アタッチメント部材には、前記当接部の上下方向の高さを調整する高さ調整手段が備えられている、
ことを特徴とする請求項１又は請求項２に記載のピアノの押鍵荷重可変装置。
【請求項４】
前記ウェイトレバーの前記他端側と前記アタッチメント部材の前記当接部との間にフェルトを備え、該フェルトを介して該他端側と該当接部が当接する、
ことを特徴とする請求項１乃至請求項３の何れか記載のピアノの押鍵荷重可変装置。
【請求項５】
前記アタッチメント部材の前記当接部に対して前記ウェイトレバーの前記他端側を離間させる離間手段が備えられている、
ことを特徴とする請求項１乃至請求項４の何れか記載のピアノの押鍵荷重可変装置。
【請求項６】
前記ウェイトレバーを前記鍵の長さ方向に移動し、前記アタッチメント部材に対して、該ウェイトレバーの前記他端側の当接位置を変えるウェイトレバー移動手段が備えられている、
ことを特徴とする請求項１乃至請求項４の何れか記載のピアノの押鍵荷重可変装置。
【発明の詳細な説明】
【技術分野】
【０００１】
本発明は、ピアノの鍵に連結され、演奏者の押鍵動作に抗する荷重をかけるピアノの押鍵荷重可変装置に関する。
【背景技術】
【０００２】
従来、ピアノにおいては、演奏者の押鍵動作に伴って、その演奏者の指に伝わるタッチ感が、ピアノの良否を決定する一つのパラメータであることが知られている。そして、一般に、ピアノが組み立てられる際に、鍵毎に鍵の内部に錘が装着され、低音側から高音側に向かって鍵の荷重が軽くなるように調整されている。
【０００３】
また、演奏者の押鍵動作に伴って、鍵に連結されて回動するハンマーの荷重が、鍵を介して演奏者の指に伝わるので、この際の荷重を調整する荷重調整具を備えたものがある。
例えば、ハンマーの上方に、引っ張りバネとこの引っ張りバネを吊り下げる取り付け具とから成る荷重調整具を備え、吊り下げられた引っ張りバネの先端をハンマーの軸の上面に固定し、引っ張りバネのバネ圧によってハンマーを上方に伏勢し、ハンマーの回動方向に補助トルクを作用させたものがある。そして、取り付け具を介して引っ張りバネの吊り下げ位置を上下に移動し、引っ張りバネによってハンマーに伏勢されるバネ圧を調整し、押鍵動作における鍵の荷重を鍵の荷重を調整できるようにしたものがある（例えば、特許文献１参照）。
【特許文献１】特開２００２−４１０２８号公報（第４−５頁、第１−２図）
【発明の開示】
【発明が解決しようとする課題】
【０００４】
しかしながら、従来例のように、鍵の内部に錘を装着して、押鍵動作における鍵の荷重を調整する構成によれば、新たに荷重を調整する際に、鉛又は鉛と鍵の両方を交換する必要があるので、鍵に伝わる荷重を調整したり、押鍵のタッチ感を切り換えたりすることが困難であった。
【０００５】
また、特許文献１のように、引っ張りバネのバネ圧によってハンマーを上方に伏勢し、取り付け具を介して引っ張りバネの吊り下げ位置を上下に移動し、押鍵動作における鍵の荷重を調整する構成によれば、押鍵動作における鍵の変位量にともなってバネ圧が変化し、ハンマーの荷重によるタッチ感を損なう虞があるという問題があった。また、演奏者の押鍵動作に伴って、スプリングを繰り返して伸縮すると、バネ圧が老朽化してタッチ感が損なわれるという問題があった。
【０００６】
本発明は、こうした問題に鑑みなされたものであり、ピアノの押鍵動作に伴う鍵の荷重を調整することができ、演奏者の技量や好みに応じて、容易に鍵に伝わる荷重を調整したり押鍵のタッチ感を切り換えたりすることができる押鍵荷重可変装置を提供することを目的とする。
【課題を解決するための手段】
【０００７】
かかる目的を達成するためになされた請求項１記載のピアノの押鍵荷重可変装置は、ピアノの鍵が揺動する支点を境に演奏側とは反対側上部において、該鍵毎に配置されて、一端側がピアノ本体に支持された回転軸に回動自在に係合し、他端側が鍵の上下方向に揺動するウェイトレバーと、前記鍵毎に該鍵の上面と前記ウェイトレバーの他端側との間に配設されて、該鍵の上方に突き出すように各鍵に取り付けられたアタッチメント部材とを備え、前記ウェイトレバーの他端側が前記回転軸を支点とする自重で前記アタッチメント部材の上部に当接し、該アタッチメント部材を介して演奏者の押鍵動作に抗する荷重をかけるように構成されていることを特徴とする。
【０００８】
請求項１に記載の鍵盤楽器の押鍵荷重可変装置によれば、鍵が揺動する支点を境に演奏側とは反対側上部において、鍵毎に配置され、一端側がピアノ本体に回転自在に回転軸に係合し他端側が鍵の上下方向に揺動自在に支持されたウェイトレバーと、鍵毎に鍵の上面とウェイトレバーの他端側との間に配設されて、鍵の上方に突き出すように各鍵に取り付けられたアタッチメント部材とを備え、ウェイトレバー他端側が回転軸を支点とする自重でアタッチメント部材の上部に当接し、アタッチメント部材を介して演奏者の押鍵動作に抗する荷重をかけるように構成されているので、演奏者の押鍵動作に伴って鍵に伝わる荷重を容易に調整したり押鍵のタッチ感を切り換えたりすることができる。
【０００９】
つまり、鍵の上方に配設されたウェイトレバーの重量を変更すれば、演奏者の押鍵動作に伴う鍵の荷重を調整できるので、従来のように鍵に埋設された鉛又は鍵を交換する場合に較べて、鍵に伝わる荷重を容易に調整したり押鍵のタッチ感を切り換えたりすることができる。
【００１０】
また、請求項１に記載のピアノの押鍵荷重可変装置によれば、アタッチメント部材を介してウェイトレバーの荷重を鍵にかけるように構成されているので、鍵が揺動する支点を境に演奏側と反対側において鍵のピッチが異なるピアノにおいても、容易に適用できる。つまり、本押鍵荷重可変装置によれば、鍵の位置とウェイトレバーとの位置が一致しない場合には、複数のウェイトレバーのピッチを変えることなくアタッチメント部材がウェイトレバーに当接するように、鍵に対するアタッチメント部材の取り付け位置を変えればよいので、ピアノに容易に装着することができる。
【００１１】
また、請求項１に記載の押鍵荷重可変装置によれば、ウェイトレバーの他端側が鍵の揺動に伴って回転軸を支点に揺動するので、ウェイトレバーの揺動がグランドピアノのハンマーの運動と近似し、グランドピアノの押鍵動作に近いタッチ感を得ることができる。
【００１２】
また、請求項１に記載の押鍵荷重可変装置によれば、鍵に加えられる荷重がウェイトレバーの自重であるので、演奏者が押鍵動作を長期間にわたって繰り返しても、鍵に加えられる荷重が変化することなく、安定したタッチ感を得ることができる。
【００１３】
次に、請求項２に記載の発明は、請求項１に記載のピアノの押鍵荷重可変装置において、    前記アタッチメント部材は、一端側に前記鍵に取り付けられる取付部を備えるとともに、他端側に前記ウェイトレバーに当接する当接部を備え、前記当接部は、前記鍵の上面に間隙を介して上方に配設され、且つ、隣接する鍵が揺動した際に、該隣接する鍵の上面よりも間隙を介して上方に配置されていることを特徴とする。
【００１４】
請求項２に記載のピアノの押鍵荷重可変装置によれば、アタッチメント部材は、一端側に鍵に取り付けられる取付部を備えるとともに、他端側にウェイトレバーに当接する当接部を備え、当接部は、鍵の上面に間隙を介して上方に配設され、且つ、隣接する鍵が揺動した際に、隣接する鍵の上面よりも間隙を介して上方に配置されているので、演奏者の押鍵動作に伴って上方に揺動した鍵が他の鍵に取り付けられたアタッチメント部材に接触することを抑制できる。
【００１５】
次に、請求項３に記載の発明は、請求項１又は請求項２に記載のピアノの押鍵荷重可変装置において、前記アタッチメント部材には、前記当接部の上下方向の高さを調整する高さ調整手段が備えられていることを特徴とする。
【００１６】
請求項３に記載のピアノの押鍵荷重可変装置によれば、アタッチメント部材には、ウェイトレバーに当接する当接部の上下方向の高さを調整する高さ調整手段が備えられているので、当接部の上下方向の高さを調整することにより、ウェイトレバーの揺動する際のウェイトレバーの他端側がアタッチメント部材に当接したり離間したりするタイミングを調整でき、演奏者の押鍵動作のタッチ感を調整することができる。
【００１７】
次に、請求項４に記載の発明は、請求項１乃至請求項３の何れか記載のピアノの押鍵荷重可変装置において、前記ウェイトレバーの前記他端側と前記アタッチメント部材の前記当接部との間にフェルトを備え、該フェルトを介して該他端側と該当接部が当接することを特徴とする。
【００１８】
請求項４に記載のピアノの押鍵荷重可変装置によれば、フェルトを介してウェイトレバーの他端側とアタッチメント部材の当接部とが当接するので、ウェイトレバーの他端側が揺動してアタッチメント部材の当接部に当接する際の衝撃を和らげ、接触音の発生を抑制することができる。
【００１９】
次に、請求項５に記載の発明は、請求項１乃至請求項４の何れか記載のピアノの押鍵荷重可変装置において、前記アタッチメント部材の前記当接部に対して前記ウェイトレバーの前記他端側を離間させる離間手段が備えられていることを特徴とする。
【００２０】
請求５に記載のピアノの押鍵荷重可変装置によれば、アタッチメント部材の当接部に対してウェイトレバーの他端側を離間させる離間手段が備えられているので、ウェイトレバーの荷重を鍵に加えたりウェイトレバーの荷重を鍵から除いたり、演奏者の好みによって押健動作におけるタッチ感を切り換えることができる。
【００２１】
次に、請求項６に記載の発明は、請求項１乃至請求項４の何れか記載のピアノの押鍵荷重可変装置において、前記ウェイトレバーを前記鍵の長さ方向に移動し、前記アタッチメント部材に対して、該ウェイトレバーの前記他端側の当接位置を変えるウェイトレバー移動手段が備えられていることを特徴とする。
請求項６に記載のピアノの押鍵荷重可変装置によれば、ウェイトレバーを鍵の長さ方向に移動し、アタッチメント部材に対して、ウェイトレバーの他端側の当接位置を変えるウェイトレバー移動手段が備えられているので、ピアノの押鍵動作に伴う鍵の荷重を調整することができ、演奏者の技量や好みに応じて、押鍵のタッチ感を切り換えたりすることができる。
【００２２】
つまり、アタッチメント部材の当接部に対してウェイトレバーの当接位置を移動させると、鍵がアタッチメント部材を介してウェイトレバーから受ける荷重が変化するので、鍵の揺動に抗する荷重を調整することができ、演奏者の押鍵動作におけるタッチ感を切り換えることできる。
【発明を実施するための最良の形態】
【００２３】
［実施例１］
以下、本発明の一実施例を図面と共に説明する。図１は、本発明のピアノの押鍵荷重可変装置が適用されたアップライピアノのアクションの構成を表す側面図、図２は同実施例の押鍵荷重可変装置の構成を表す斜視図、図３は同実施例の押鍵荷重可変装置におけるアタッチメント部材とウェイトレバーとの位置合せを表す説明図である。
【００２４】
図１において、アクション１は、弦を打弦するハンマー２を回動するハンマー作動部５（ハンマー作動部５の一部のみを図示する）と、鍵３に対して押鍵動作に抗する荷重をかける押鍵荷重可変装置１７とを備えている。
【００２５】
鍵３は、ピアノ１台あたり８８鍵設置され、筬中７を支点に揺動できるように設置されている。この鍵３は図中記載の手前側（所謂、演奏側である）を押鍵すると鍵３の図中記載の後側（所謂、筬中７を境に演奏側の反対側である）が上昇して、その押鍵動作をハンマー作動部５に伝達する。
【００２６】
ハンマー作動部５は、鍵３が押されると上昇するキャプスタンワイヤー９及びキャプスタンボタン１１と、センターレールフレンジ１３を介してセンターレール１４に回転可能に支持され、キャプスタンワイヤー９及びキャプスタンボタン１１の上昇によって上向きに回動するウイッペン１２、ウイッペン１２の上昇によってハンマー２を回動させるジャック１５から構成され、キャプスタンワイヤー９及びキャプスタンボタン１１を介して演奏者の押鍵動作が伝達されると、ハンマー２を回動して弦を打弦する。
【００２７】
次に、押鍵荷重可変装置１７は、鍵３が揺動する筬中７（所謂、支点である）を境に演奏側とは反対側（図中の後側）上部において、鍵３毎に配置されて、一端側がピアノ本体に支持された回転軸１９に回動自在に係合し、他端側が鍵３の上下方向に揺動するウェイトレバー２１と、鍵３毎に鍵３の上面とウェイトレバー２１の他端側との間に配設され、鍵３の上方に突き出すように各鍵３に取り付けられたアタッチメント部材２２とを備え、ウェイトレバー２１他端側が回転軸１９を支点とする自重でアタッチメント部材２２の上部に当接し、アタッチメント部材２２を介して演奏者の押鍵動作に抗する荷重をかけるように構成されている。
【００２８】
押鍵荷重可変装置１７は、複数の鍵を跨ぐように長尺状のストッパーレール２４が設けられており、両端をブラケット２５（図２中の符号２５である。）によってピアノ本体に固定されている。そして、鍵３毎に、ストッパーレール２４にはフレンジ１８の一端側がネジ止めされて固定され、フレンジ１８の他端側には回転軸１９にウェイトレバー２１が回動自在に取り付けられている。また、ウェイトレバー２１の上面にはウェイトレバー２１がストッパーレール２４と接触した際に音を低減させるためのフェルト２３が設けられおり、一方、ウェイトレバー２１の下面には、ウェイトレバー２１がアタッチメント部材２２と接触した際に音を低減させるためのフェルト２１ａが設けられている。また、ウェイトレバー２１の側面にはウェイトレバー２１の重量を調整するために鉛からなる錘２９が埋め込まれている。
【００２９】
次に、アタッチメント部材２２は、図３（ａ）に表したように、一端に鍵３に取り付けられる取付部２２ａを備えるとともに、他端にウェイトレバー２１に当接する当接部２２ｂを備えている。また、アタッチメント部材２２の当接部２２ｂは、取付部２２aから上方に折り曲げられて、鍵３の上面に間隙Ｓ１を介して上方に配設され、且つ、隣接する鍵（図３（ａ）中において二点鎖線で示す）３Ｐが演奏者の押鍵動作に伴って揺動（図中の二点鎖線のように揺動）した際に、隣接する鍵３Ｐの上面よりも間隙Ｓ２を介して上方に配置されている。
【００３０】
また、アタッチメント部材２２は、当接部２２ｂにネジ２２ｃが挿通される貫通孔（図示せず）が形成され、ネジ２２ｃがナット２２ｄ、２２ｅによって締め付けられて固定されている。そして、ネジ２２ｃの頂部がウェイトレバー２１の他端側に当接するとともに、ウェイトレバー２２に当接するネジ２２ｃの頂部の上下方向の高さを調整できるように構成されている。尚、本発明の高さ調整手段は、アタッチメント部材２２に備えたネジ２２ｃ、ナット２２ｄ、２２ｅ等によって、その機能が発現される。
【００３１】
また、アタッチメント部材２２を鍵３に取り付ける際には、図３（ｂ）に表したように、ウェイトレバー２１の幅Ｗ内の略中心にネジ２ｃの頂部が当接するようにアタッチメント部材２２の位置を合わせ、ネジ２２ｆ、２２ｇを固定する。また、図３（ｃ）に表したように、鍵３とウェイトレバー２１との位置がずれて、鍵３の中心Ｃ１とウェイトレバー３の中心Ｃ２が一致しない場合には、複数のウェイトレバー２１のピッチを変えることなく、アタッチメント部材２２を図中のＲ方向に傾け、アタッチメント部材２２の当接部２ｂのネジ２ｃの頂部がウェイトレバー２１に当接するように取り付ければよい。また、一般に、健３が揺動する支点となる筬中７を境に、演奏側と反対側において、打弦音が低音から高音に移行するに伴い、鍵３の並びが変化する（図中のＳＥＣ１からＳＥＣ２のように変化する）境目Ｓがあるので、その際にも複数のウェイトレバー２１のピッチを変えることなく、アタッチメント部材２２を図中のＲ方向に傾け、アタッチメント部材２２の当接部２２ｂのネジ２２ｃの頂部がウェイトレバー２１に当接するように取り付ければよい。また、前述したように、アタッチメント部材２２の当接部２２ｂは、隣接する鍵（図３（ａ）中に二点鎖線で示す）３Ｐが演奏者の押鍵動作に伴って揺動（図３（ａ）中の二点鎖線のように揺動）した際に、隣接する鍵３Ｐの上面よりも間隙Ｓ２を介して上方に配置されているので、アタッチメント部材２２の当接部２２ｂが隣接する鍵３Ｐの上方にはみ出して取り付けられても、隣接する鍵３Ｐが演奏者の押鍵動作に伴って揺動（図３（ａ）中の二点鎖線のように揺動）した際に、アタッチメント部材２２の当接部２２ｂに接触することがない。
【００３２】
次に、押鍵荷重可変装置１７は、図１に表したように、ウェイトレバー２１を持ち上げるための、内部が空洞になった長尺状のリフティングレール３１と、リフティングレール３１を上下方向に移動させる突揚棒３５と、一端側で突揚棒３５を支持し、角部を回転軸４１ａに係合して回転するＬ字金具４１とを備えている。
【００３３】
Ｌ字金具４１の他端には、Ｌ字金具３４を後側に付勢するコイルスプリング６５ｂと、このコイルスプリング６５ｂによる付勢力に抗してＬ字金具４１を手前側に索引するためのワイヤ６５ａとが接続されている。そして、ワイヤ６５ａは、一端が固定部材６５ｃを介してグランドピアノの側板に固定されたチューブ６５ｄに収納されており、チューブ６５ｄの他端に設けられた図示しない操作レバーによって所定量索引できるようにされている。
【００３４】
また、図２に示すように、リフティングレール３１は、鍵３の配列方向と同方向に設けられたリフティングレバー３２によって両端及び中間数カ所を固定されている。尚、リフティングレバー３２は、ウェイトレバー２１と同様にストッパーレール２４にフレンジ１８を介して揺動可能に固定されている。リフティングレール３１の上面には、ウェイトレバー２１と接触する時の衝撃を和らげるために、フェルト３３が設けられている。また、リフティングレール３１の下部には、棚板３４を貫通して下方から上方に延びる突揚棒３５が備えられている。
【００３５】
また、突揚棒３５の上端にはリフティングレール３１と接触した時の衝撃を和らげるため、ゴムキャップ３７が取り付けられ、その中心部にはさらに突出する形で金属製のピン３９が設けられている。一方、リフティングレール３１側には、ピン３９をガイドするための孔（図示せず）が設けられている。
【００３６】
そして、図１に表したように、押鍵荷重可変装置１７は、前述の図示しないハンドルを手前側に引くことにより、ワイヤ６５ａを索引し、Ｌ字金具４１を手前側（矢印Ｂの方向）に回転させて突揚棒３５を上方に押し上げると、リフティングレール３１が上方に移動（図中のＡ方向に回動）してウェイトレバー２１を押し上げ、ウェイトレバー２１の他端側がアタッチメント部材２２の当接部２２ｂに備えたネジ２２ｃの頂部に離間するように構成されている。一方、押鍵荷重可変装置１７は、図示しないハンドルを後側に戻すことにより、コイルバネ６５ｂの付勢力でＬ字金具４１を矢印Ｂの逆方向に回転させて突揚棒３５を下方に下げると、リフティングレール３１が下方に移動してウェイトレバー２１を下げ、ウェイトレバー２１の他端側がフェルト２１ａを介してアタッチメント部材２２の当接部２２ｂに備えたネジ２２ｃの頂部に当接し、ウェイトレバー２１の荷重が鍵３に加えられるように構成されている。なお、本発明の離間手段は、リフティングレール３１、フェルト３３、突揚棒３５、ワイヤ６５ａ、スプリング６５ｂ、固定部材６５ｃ、チューブ６５ｄ、Ｌ字金具４１、図示しないハンドル等によってその機能が発現される。
【００３７】
以下に、前記の構成を有する実施例１のピアノの押鍵荷重可変装置１７の作用効果を記載する。
実施例１のピアノの押鍵荷重可変装置１７によれば、鍵３が揺動する筬中（支点）７を境に演奏側とは反対側上部において、鍵３毎に配置されて、一端側がピアノ本体に支持された回転軸１９に回動自在に係合し、他端側が鍵３の上下方向に揺動するウェイトレバー２１と、鍵３毎に鍵３の上面とウェイトレバー２１の他端側との間に配設されて、鍵３の上方に突き出すように各鍵３に取り付けられたアタッチメント部材２２とを備え、ウェイトレバー２１の他端側が回転軸１９を支点とする自重でアタッチメント部材２２の上部に当接し、アタッチメント部材２２を介して演奏者の押鍵動作に抗する荷重をかけるように構成されているので、演奏者の押鍵動作に伴って鍵３に伝わる荷重を容易に調整したり押鍵のタッチ感を切り換えたりすることができる。
【００３８】
つまり、鍵３の上方に配設されたウェイトレバー２１の重量を変更すれば、演奏者の押鍵動作に伴う鍵の荷重を調整できるので、従来のように鍵３に埋設された鉛２９又は鍵３を交換する場合に較べて、鍵３に伝わる荷重を容易に調整したり押鍵のタッチ感を切り換えたりすることができる。
【００３９】
また、実施例１に記載のピアノの押鍵荷重可変装置１７によれば、アタッチメント部材２２を介してウェイトレバー２１の自重を鍵３にかけるように構成されているので、鍵３が揺動する筬中（支点）７を境に演奏側と反対側において鍵３のピッチが異なるピアノにおいても、容易に適用できる。つまり、本押鍵荷重可変装置１７によれば、鍵３の位置とウェイトレバー２１との位置が一致しない場合には、複数のウェイトレバー２１のピッチを変えることなく、アタッチメント部材２２の当接部２２ｂのネジ２２ｃの頂部がウェイトレバー２１に当接するように、鍵３に対するアタッチメント部材２２の取り付け位置を変えればよいので、ピアノに容易に装着することができる。
【００４０】
また、実施例１に記載のピアノの押鍵荷重可変装置１７によれば、鍵３に加えられる荷重がウェイトレバー２１の自重であるので、演奏者が押鍵動作を長期間にわたって繰り返しても、鍵３に加えられる荷重が変化することなく、安定したタッチ感を得ることができる。
【００４１】
また、実施例１に記載のピアノの押鍵荷重可変装置１７によれば、アタッチメント部材２２の当接部２２ｂは、鍵３の上面に間隙Ｓ１を介して上方に配設され、且つ、隣接する鍵３Ｐが揺動した際に、隣接する鍵３Ｐの上面よりも間隙Ｓ２を介して上方に配置されているので、演奏者の押鍵動作に伴って上方に揺動した鍵３が他の鍵に取り付けられたアタッチメント部材２２に接触することない。
【００４２】
また、実施例１に記載のピアノの押鍵荷重可変装置１７によれば、当接部２２ｂにウェイトレバー２１との当接高さが調整できるようにネジ２２ｃ、ナット２２ｄ、２２ｅ等が備えられているので、ウェイトレバー２１の揺動する際のウェイトレバー２１の他端側がアタッチメント部材２２に当接したり離間したりするタイミングを調整でき、演奏者の押鍵動作のタッチ感を調整することができる。
【００４３】
また、実施例１に記載のピアノの押鍵荷重可変装置１７によれば、フェルト２１ａを介してウェイトレバー２１の他端側とアタッチメント部材２２の当接部２２ｂとが当接するので、ウェイトレバー２１の他端側が揺動してアタッチメント部材２２の当接部２２ｂに当接する際の衝撃を和らげ、接触音の発生を抑制することができる。
【００４４】
また、実施例１に記載のピアノの押鍵荷重可変装置１７によれば、前述の図示しないハンドルを操作することにより、Ｌ字金具４１を手前側（矢印Ｂの方向）又は後側（矢印Ｂの逆方向）に回転させて突揚棒３５を上方又は下方に移動させ、ウェイトレバー２１の荷重を鍵３に加えたりウェイトレバー２１の荷重を鍵３から除いたり、演奏者の好みによって押健動作におけるタッチ感を切り換えることができる。
【００４５】
［実施例２］
次に、図４、図５を用いて、本発明のピアノの押鍵荷重可変装置の、実施例２について説明する。図４は、本発明のピアノの押鍵荷重可変装置が適用されたグランドピアノのアクションの構成を表す側面図、図５の（ａ）は同実施例の押鍵荷重可変装置のアタッチメント部材の構成を表す分解斜視図、図５の（ｂ）は同実施例のアタッチメント部材が鍵に取り付けられた外解斜視図である。
【００４６】
尚、本実施例２におけるグランドピアノの押鍵荷重可変装置１７Ａは、基本的に実施例１で表した押鍵荷重可変装置１７と同じ構成なので詳細な説明を省き、特徴となる部分について説明する。
【００４７】
図４において、アクション５１は、弦を打弦するハンマー２を回動するハンマー作動部５２と、鍵３に対して押鍵動作に抗する荷重をかける押鍵荷重可変装置１７Ａとを備えている。
【００４８】
ハンマー作動部５２は、鍵３が押されると上昇するキャプタンスクリュー５３と、ウイッペンレンジ５４を介してウイッペンレール５５に回動可能に支持され、キャップスタンスクリュー５３の上昇によって上向きに回転するウイッペン５６と、ウイッペン５６の上昇によってウイッペン５６上方の支柱５７の先端に回転可能に支持されたレピティションレバー５８と、ウイッペン５６の先端に回転可能に連結され、レギュレーティング当接部５９がレギュレーティングボタン６０に当接するまでウイッペン５６と共に上昇するジャッ６１と、レピティションレバー５６の上面に当接し、ジャック５１の上端部に突き上げられるとレピティションレバー５６の上面から離間するシャンクローラ６２とを備え、ハンマー２を回動して弦を打弦する。
【００４９】
次に、押鍵荷重可変装置１７Ａは、実施例１に表したアタッチメント部材２２に代えて、アタッチメント部材３０が備えられている。
アタッチメント部材３０は、図５（ａ）に表したように、一端側に貫通孔３０ｃを備えるとともに他端側に上方に突き出した突き出し部３０ｂを備えた板状部材３０ａと、軸方向に沿って雌ネジ３０ｇを備えるとともに一端に雄ネジ３０ｆを備えた支柱３０ｄと、貫通孔３０ｃに挿通され雌ネジ３０ｇに螺合するネジ３０ｈによって構成されている。そして、図３（ｂ）に表したように、アタッチメント部材３０は、雄ネジ３０ｆが鍵３に螺合して固定され、支柱３０ｄの上端に板状部材３０ａがネジ３０ｈによって固定され、突き出し部３０ｂがウェイトレバー２１に対する当接部として構成される。
【００５０】
また、支柱３０ｄの高さ寸法Ｓ３は、実施例１と同じように、隣接する鍵（図３中において２点鎖線で示す）３Ｐが演奏者の押鍵動作に伴って揺動（図３中の二点鎖線のように揺動）した際に、板状部材３０ａが隣接する鍵３Ｐの上面よりも間隙Ｓ２を介して上方に配置されるよう設定されている。
【００５１】
また、図３（ｃ）に表したように、鍵３とウェイトレバー２１との位置がずれて、鍵３の中心Ｃ１とウェイトレバー３の中心Ｃ２が一致しない場合には、複数のウェイトレバー２１のピッチを変えることなく、アタッチメント部材３０を図５（ｂ）中の３０Ｐのように支柱３０ｄを中心に回転させ、アタッチメント部材３０の突き出し部３０ｂがウェイトレバー２１の他端側に当接するように取り付ければよい。
【００５２】
また、図４に表したように、押鍵荷重可変装置１７Ａは、前述の図示しないハンドルを手前側に引くことにより、ワイヤ６５ａを索引し、Ｌ字金具４１を矢印Ｄの方向に回転させて突揚棒３５を上方に押し上げると、リフティングレール３１が上方に移動（Ｃ方向に回動）してウェイトレバー２１を押し上げ、ウェイトレバー２１の他端側がアタッチメント部材３０の突き出し部３０ｂの頂部に離間するように構成されている。一方、押鍵荷重可変装置１７Ａは、図示しないハンドルを後側に戻すことにより、コイルバネ６５ｂの付勢力でＬ字金具４１を矢印Ｄの逆方向に回転させて突揚棒３５を下方に下げると、リフティングレール３１が下方に移動してウェイトレバー２１を下げ（図中のＣの逆方向に回動）、ウェイトレバー２１の他端側がフェルト２１ａを介してアタッチメント部材２２の突き出し部３０ｂの頂部に当接し、ウェイトレバー２１の荷重が鍵３に加えられるように構成されている。
【００５３】
以下に、前記の構成を有する実施例２のピアノの押鍵荷重可変装置１７Ａの作用効果を記載する。
実施例２に記載のピアノの押鍵荷重可変装置１７Ａによれば、アタッチメント部材３０は、雄ネジ３０ｆが鍵３に螺合して固定され、支柱３０d上端に板状部材３０ａがネジ３０ｈによって固定され、突き出し部３０ｂがウェイトレバー２１に対する当接部となるように構成されているので、鍵３が揺動する筬中（支点）７を境に演奏側と反対側において鍵３のピッチが異なるピアノにおいても、容易に押鍵荷重可変装置１７Ａを適用できる。つまり、本押鍵荷重可変装置１７Ａによれば、鍵３の位置とウェイトレバー２１との位置が一致しない場合には、複数のウェイトレバー２１のピッチを変えることなく、アタッチメント部材３０の突き出し部３０ｂの頂部がウェイトレバー２１の他端側に当接するように、アタッチメント部材３０を支柱３０ｄを中心に回転させ、鍵３に取り付ければよいので、ピアノに容易に装着することができる。
【００５４】
また、実施例２に記載のピアノの押鍵荷重可変装置１７Ａによれば、支柱３０dの高さ寸法Ｓ３は、実施例１と同じように、隣接する鍵（図３中において二点鎖線で示す）３Ｐが演奏者の押鍵動作に伴って揺動（図中の二点鎖線のように揺動）した際に、板状部材３０ａが隣接する鍵３Ｐの上面よりも間隙Ｓ２を介して上方に配置されるよう設定されているので、演奏者の押鍵動作に伴って上方に揺動した鍵３が他の鍵に取り付けられたアタッチメント部材３０に接触することない。
【００５５】
また、実施例２に記載のピアノの押鍵荷重可変装置１７Ａによれば、ウェイトレバー２１の他端側が鍵３の揺動に伴って回転軸１９を支点に揺動するので、ウェイトレバー２１の揺動がグランドピアノのハンマーの運動と近似し、グランドピアノの押鍵動作に近いタッチ感を得ることができる。
【００５６】
［実施例３］
次に、図６を用いて、本発明のピアノの押鍵荷重可変装置の、実施例３について説明する。図６は、本発明のピアノの押鍵荷重可変装置が適用されたアップライトピアノのアクションの構成を表す側面図である。尚、本実施例３におけるピアノの押鍵荷重可変装置７１は、基本的に実施例１で表した押鍵荷重可変装置１７と同じ構成なので詳細な説明を省き、特徴となる部分について説明する。
【００５７】
押鍵荷重可変装置７１は、複数の鍵３を跨ぐように長尺状のレール９１が設けられており、鍵３毎に、レール９１にはフレンジ１８の一端側がネジ止めされて固定され、フレンジ１８の他端側には回転軸１９にウェイトレバー２１が回動自在に取り付けられている。
【００５８】
また、レール９１は、板状のレール支持部材７３によって鍵３の配列方向の両端及び中間部分（ブレイク部分）が支持されている。
また、押鍵荷重可変装置７１は、レール９１に固定された板状のレール支持部材７３に係合し鍵３の長さ方向にウェイトレバー２１を移動させるスライドレール７５と、スライドレール７５における上レール７５ａにアームピン７９を介して係合し回転軸８７を軸にＥ方向及びＥ方向の逆方向に回動するアーム８１とを備えている。
【００５９】
また、スライドレール７５は、棚板３４の上に鍵３に平行に、レール支持部材７３の下に設置されている。スライドレール７５は、上レール７５ａと下レール７５ｂとによって構成され、そのうち下レール７５ｂの方はピアノ本体に固定されている。また、上レール７５ａと下レール７５ｂとの間には両者の摩擦を低減されるためのベアリング（図示せず）が設けられており、上レール７５ａは下レール７ｂの上を鍵３の長手方向に沿って自在にスライドできるようになっている。そして、上レール７５ａのスライドに伴って上レール７５ａに固定されているレール支持部材７３も鍵３の長手方向に沿って移動し、この移動に伴って、ストッパーレール２４、ストッパーレール２４に取り付けられているフレンジ１８、ウェイトレバー２１が移動する。また、鍵３毎に設置され複数存在するスライドレール７５のうち、最も外側に設置されたスライドレール７５の上レール７５ａの手前側先端にはフレンジ７７が設けられており、フレンジ７７に設けられたアームピン７９が、アーム８１と上レール７５ａとを連動させている。
【００６０】
また、アーム８１は、複数存在するスライドレール７５のうちの最も外側に設置されたスライドレール７５の上レール７５ａにのみ取り付けられている。すなわち、アーム８１は２本存在し、アーム８１のそれぞれの一端は、棚板３４の下面に設けられた取り付け部８３において連結シャフト８７を中心にして回転可能に取り付けられており、２本のアーム８１は連結シャフト８７を介して連動する。
【００６１】
また、アーム８１の他端には、アーム８１を後側に付勢するコイルスプリング６５ｂと、このコイルスプリング６５ｂによる付勢力に抗してアーム６５を手前側に索引するためのワイヤ６５ａとが接続されている。そして、ワイヤ６５ａは、一端が固定部材６５ｃを介してアップライトピアノの側板（図示せず）に固定されたチューブ６５ｄに収納されており、チューブ６５ｄの他端に設けられた操作レバー（図示せず）を操作して所定量索引できるようにされている。
【００６２】
そして、操作レバー（図示せず）を操作してワイヤを索引すると、アーム８１を矢印Ｅの方向に回転し、上レール６２が後側（矢印Ｆに示す方向）にスライドし、そのスライドに伴ってレール支持部材７３、レール９１、フレンジ１８及びウェイトレバー２１が後側に移動する。また、操作レバーをワイヤ６５ａを索引する前の位置に戻すと、コイルスプリング６５ｂの付勢力によってアーム８１が矢印Ｅと逆方向に回転し、上レール７５ａが手前側にスライドし、そのスライドに伴ってレール支持部材７３、レール９１、フレンジ１８及びウェイトレバー２１が手前側（矢印Ｆの反対方向）に移動する。これにより、ウェイトレバー２１を鍵３の長さ方向に沿って移動させ、アタッチメント部材２２の当接部に対してウェイトレバー２１の当接位置を変えることができる。尚、本発明のウェイトレバー移動手段は、板状のレール支持部材７３、スライドレール７５、アームピン７９、アーム８１、連結シャフト８７、コイルスプリング６５ｂ、ワイヤ６５ａ、固定部材６５ｃ、チューブ６５ｄ、図示されない操作レバー等によって、その機能が発現される。
【００６３】
また、押鍵荷重可変装置７１は、ウェイトレバー２１が回動した際に、上向き方向のストッパーとなるウェイトレバー振れ防止レール９３が設けられている。
ウェイトレバー振れ防止レール９３は、ウェイトレバー２１の上部に配設され、複数の鍵３を跨ぐようにして両端をブラケット９５によってピアノ本体に固定されている。ウェイトレバー振れ防止レール９３の下面は、演奏側と反対側（図６中の奥側）に進むにつれて上方に沿った形状をしている。また、ウェイトレバー振れ防止レール９３の下面全体には、ウェイトレバー２１が当接した際の当接音を低減するためのフェルト９７が設けられている。
【００６４】
また、ウェイトレバー２１の他端側の上面には鉛からなる錘９９が設けられている。そして、ウェイトレバー２１が回転軸１９を中心に上向きに回動した際に、錘９９がウェイトレバー振れ防止レール９３にフェルト９７を介して当接する。
【００６５】
以下に、前記の構成を有する実施例３のピアノの押鍵荷重可変装置７１の作用効果を記載する。
実施例３に記載のピアノの押鍵荷重可変装置７１によれば、アーム８１を回動させることによって、ウェイトレバー２１を鍵の長さ方向に移動し、アタッチメント部材２２に対して当接する位置を変えることができるので、アタッチメント部材２２を介して鍵３に加えられるウェイトレバー２１の荷重及びウェイトレバー２１の揺動量を連続的に調整することができ、演奏者の押鍵動作に伴って鍵３に伝わる荷重を容易に調整したり押鍵のタッチ感を切り換えたりすることができる。
【００６６】
以上、本発明の実施例について説明したが、本発明は、上述した実施例に限定されるものではなく、種々の態様を取ることができる。
例えば、実施例１において、ウエィトレバー２１は、鍵３の演奏側の反対側（図中の後側）に回動自在な一端を配置し、鍵３の演奏側（図中の手前側）に鍵３に荷重を加える他端側を配置したが、鍵３の演奏側の（図中の手前側）に回動自在な一端を配置し、鍵３に荷重を加える他端側を鍵３の演奏側の反対側（図中の後側）、配置してもよい。
【００６７】
また、実施例１〜実施例３において、アタッチメント部材２２、３０は、ピアノの鍵３に固定しウェイトレバー２１に対して当接及び離間できるものとしたが、ウェイトレバー２１に固定し鍵３に対して当接及び離間できるものとしてもよい。
【図面の簡単な説明】
【００６８】
【図１】本発明のピアノの押鍵荷重可変装置が適用された実施例１の、アップライピアノのアクションの構成を表す側面図である。
【図２】同実施例１の押鍵荷重可変装置の構成を表す斜視図である。
【図３】同実施例１の押鍵荷重可変装置におけるアタッチメント部材とウェイトレバーとの位置合せを表す説明図である。
【図４】本発明のピアノの押鍵荷重可変装置が適用された実施例２の、グランドピアノのアクションの構成を表す側面図である。同実施形態１の伝達切り換え機構部の構成を表す斜視図である。
【図５】図５の（ａ）は同実施例の押鍵荷重可変装置のアタッチメント部材の構成を表す分解斜視図、図５の（ｂ）は同実施例のアタッチメント部材が鍵に取り付けられた外解斜視図である。
【図６】本発明のピアノの押鍵荷重可変装置が適用された実施例３の、アップライトピアノのアクションの構成を表す側面図である。
【符号の説明】
【００６９】
１、５１…アクション、２…ハンマー、３…鍵、５,５２…ハンマー作動部、１７，１７Ａ，７１…押鍵荷重可変装置、７…筬中、９…キャプスタンワイヤー、１１…キャプスタンボタン、１２…ウイッペン、１５…ジャック、１９…回転軸、２１…ウェイトレバー、２２，３０…アタッチメント部材、２４…ストッパーレール、１８…フレンジ、１９…回転軸、２５，９５…ブラケット、２１ａ，２３，９７，…フェルト、２９…錘、２２ａ…取付部、２２ｂ…当接部、２２ｃ，２２ｆ，２２ｇ…ネジ、２２ｄ，２２ｅ…ナット、３１…リフティングレール、３５…突揚棒、４１…Ｌ字金具、４１ａ…回転軸、６５ｂ…コイルスプリング、６５ａ…ワイヤ、６５ｃ…固定部材、６５ｄ…チューブ、３２…リフティングレバー、３７…ゴムキャップ、３９…ピン、６５ｂ…コイルバネ、５３…キャプタンスクリュー、５４…ウイッペンレンジ、５６…ウイッペン、５７…支柱、５８…レピティションレバー、５９…レギュレーティング当接部、６０…レギュレーティングボタン、５１…ジャック、６２…シャンクローラ、３０ｃ…貫通孔、３０ｂ…突き出し部、３０ａ…板状部材、３０ｇ…雌ネジ、３０d…支柱、３０ｈ…ネジ、７３…レール支持部材、７５…スライドレール、７９…アームピン、８７…回転軸、７７…フレンジ、８１…アーム、３４…棚板、８３…取り付け部、８７…連結シャフト、９１…レール、９３…ウェイトレバー振れ防止レール、９９…錘。
【図１】
2005049789.tif 000003
【図２】
2005049789.tif 000004
【図３】
2005049789.tif 000005
【図４】
2005049789.tif 000006
【図５】
2005049789.tif 000007
【図６】
2005049789.tif 000008